(57)【要約】  ボックス（１２）を備える外側ハウジングと、ボックスにヒンジで取り付けられたリッド（１４）とを有する喫煙物品（３０）用の容器（１０）であり、ハウジングの中に内側ライナー（２０）が配置され、内側ライナーは喫煙物品用の内部容積を画定し、内側ライナーは喫煙物品の周りで密封されており、かつ閉鎖フラップ付きのアクセス開口部（２６）を有する。喫煙物品を少なくとも部分的に囲むために、主パネル（５２）にヒンジで接続された側壁（５８）を少なくとも有する内側補強材（５０）が内側ライナーの中に提供され、主パネル（５２）は、アクセス開口部（２６）と一致して提供されている喫煙物品の少なくとも一部を受けるための段付き領域（６０）を含む下部パネル（５４）にヒンジで接続されている。【選択図】図１
2019514804.tif 000002
【特許請求の範囲】
【請求項１】
喫煙物品用容器であって、
複数の喫煙物品と、
ボックスと、前記ボックスにヒンジで取り付けられたリッドとを備え、前記ボックスが前部壁、後方壁、対向する側壁を備える、外側ハウジングと、
前記ハウジングの中に配置された内側ライナーであって、前記内側ライナーが前記喫煙物品用の内部容積を画定し、前記内側ライナーが前記喫煙物品の周りで密封されており、かつ閉鎖フラップ付きのアクセス開口部を有する、内側ライナーと、
内側補強材であって、前記内側ライナーの中の前記喫煙物品を少なくとも部分的に囲むために主パネルにヒンジで接続された側壁を少なくとも有し、前記主パネルが下部パネルにヒンジで接続された、内側補強材と、を備え
前記下部パネルが、前記アクセス開口部と一致して提供された喫煙物品の少なくとも一部を受けるための段付き領域を含む、容器。
【請求項２】
前記下部パネルの前記段付き領域が、前記段付き領域の外側のその他の喫煙物品に対して、前記喫煙物品を部分的に前記アクセス開口部を通して持ち上げる、請求項１に記載の容器。
【請求項３】
前記段付き領域の深さおよび幅が少なくとも一つの喫煙物品の少なくとも半径に対応する、請求項１または２に記載の容器。
【請求項４】
前記段付き領域の前記深さおよび幅が少なくとも一つの喫煙物品の少なくとも直径に対応する、請求項３に記載の容器。
【請求項５】
前記アクセス開口部が前記容器の前記前部壁の中へと部分的に延び、また前記主パネルは前部パネルであり、前記下部パネルの前記段付き領域は前記前部パネルと前記下部パネルの間のヒンジ線によって提供されており、前記ヒンジ線は少なくとも部分的に内向きに段付きであり、前記アクセス開口部と一致して棚を作り出す、請求項１〜４のいずれか一項に記載の容器。
【請求項６】
前記アクセス開口部が前記容器の前記後方壁の中へと部分的に延び、また前記主パネルは後方パネルであり、前記下部パネルの前記段付き領域は前記後方パネルと前記下部パネルの間のヒンジ線によって提供されており、前記ヒンジ線は少なくとも部分的に内向きに段付きであり、前記アクセス開口部と一致して棚を作り出す、請求項１〜５のいずれか一項に記載の容器。
【請求項７】
一対の実質的に平行な長軸方向の切断線が、前記主パネルと前記下部パネルの前記ヒンジ線を横切って延び、また三つの実質的に平行な横断する折り曲げ線が、折り曲げて前記段付き領域を形成するために前記切断線の間に提供されている、請求項１〜６のいずれか一項に記載の容器。
【請求項８】
第一の折り曲げ線が前記主パネル内の前記切断線の端部の間に延び、第二の折り曲げ線が前記下部パネル内の前記切断線の端部の間に延び、かつ第三の折り曲げ線が前記第一の折り曲げ線と前記第二の折り曲げ線の間に提供されている、請求項７に記載の容器。
【請求項９】
前記第三の折り曲げ線が前記第一の折り曲げ線と前記第二の折り曲げ線の間の実質的に中央に提供されているが、前記主パネルと前記下部パネルの前記ヒンジ線に関しては、ずらされている、請求項８に記載の容器。
【請求項１０】
請求項１〜９のいずれか一項に記載の容器で使用される喫煙物品の装填の周りの定置用の内側補強材の部材であって、前記内側補強材は、喫煙物品の装填の正面および側面に隣接する定置のためにそれぞれ主パネルにヒンジで接続された少なくとも側壁と、前記主パネルにヒンジで接続された下部パネルとを備え、一対の実質的に平行な長軸方向の切断線は前記主パネルと前記下部パネルの前記ヒンジ線を横切って延び、また折り曲げて段付き領域を形成するために三本の実質的に平行な横断する折り曲げ線が前記切断線の間に提供されている、内側補強材の部材。
【請求項１１】
第一の折り曲げ線が前記主パネル内の前記切断線の端部の間に延び、第二の折り曲げ線が前記下部パネル内の前記切断線の端部の間に延び、また第三の折り曲げ線が前記第一の折り曲げ線と前記第二の折り曲げ線との間に提供されている、請求項１０に記載の内側補強材。
【請求項１２】
前記第三の折り曲げ線が、前記第一の折り曲げ線と前記第二の折り曲げ線の間の実質的に中央に提供されているが、前記主パネルと前記下部パネルの前記ヒンジ線に関しては、ずらされている、請求項１１に記載の内側補強材。
【請求項１３】
前記主パネルが、前記内側補強材の前部パネルもしくは後方パネル、またはこれらの両方である、請求項１０、１１、または１２に記載の内側補強材。
【請求項１４】
喫煙物品の装填を包装する方法であって、前記方法が、
喫煙物品の装填を形成するために内側補強材の主パネル上に複数の喫煙物品を所定の場所および角度方向で定置することであって、前記内側補強材は少なくとも側壁と前記主パネルにヒンジで接続された下部パネルとを含み、前記下部パネルは折り畳んだ段付き領域を含む、定置することと、
前記側壁が喫煙物品の前記装填の側面に隣接して存在するように前記側壁を折り曲げることと、
前記下部パネルが喫煙物品の前記装填の端部に隣接して存在するように前記下部パネルを折り曲げることと、
少なくとも一つの喫煙物品をその他の喫煙物品に対して不整合にするために、前記段付き領域を前記喫煙物品に向かって内向きに延ばすことと、
内側束を形成するために前記内側補強材および喫煙物品の装填の周りを内側ライナーで包み、それを密封することと、を含む方法。
【請求項１５】
喫煙物品の前記束を収容する外側ハウジングを形成するために、前記内側束の周りで層状ブランクを折り曲げることをさらに含む、請求項１４に記載の方法。
【発明の詳細な説明】
【技術分野】
【０００１】
本発明は、紙巻たばこなどの喫煙物品用の容器に関する。特に、本発明は、内側ライナーと喫煙物品の間に内側補強材を有する、喫煙物品の周りで密封された内側ライナーを含む容器に関する。
【背景技術】
【０００２】
紙巻たばこおよび葉巻たばこなどの喫煙物品は一般に、ボックスと、容器の後方壁を横切って延びるヒンジ線のところでボックス部分に接続されたリッドとを有する剛直なヒンジリッド容器内に包装される。こうしたヒンジリッド容器は通常、一枚の層状の厚紙ブランクから構築される。使用時、リッド部分はヒンジ線のところで枢動して容器を開き、ボックス部分内に収容されている喫煙物品へのアクセスを得る。
【発明の概要】
【発明が解決しようとする課題】
【０００３】
ボックス部分内に収容されている喫煙物品の群は通常、金属化紙、金属箔、またはその他の可撓性シート材料の内側ライナーに包まれて、内側束を形成する。
【０００４】
内側パッケージのバリア特性を改善するために、喫煙物品の周りを包む内側ライナーはヒートシールされてもよく、また時として再使用可能なカバーフラップによって閉鎖された紙巻たばこアクセス開口部を有する。（例えば、Ｕ字形状フレームの形態の）厚紙補強材は、内側ライナーを物品の周りに折り曲げてヒートシールした時に、内側パッケージの形状を維持するために、および喫煙物品を保護するために、内側束の内側に物品のところに定置されてもよい。内側束の形状は、内容物がアクセス開口部を通して抜き出されうるように維持されることが重要である。しかし、束の密接な充填に起因して最初の物品をパッケージから抜き出すことは困難であることがある。
【０００５】
国際特許出願第２０１１／０１２２３５  Ａ１号は、喫煙物品の外側上端部分と係合可能な係合部分を有する持ち上げ要素を含む喫煙物品用容器を説明する。持ち上げ要素はボックスの開口部から延び、また喫煙物品の周りを包むチッピングペーパーの縁によって形成されたリング様の肩部と係合するためのフックを有する。内側ライナーの箔を引くために持ち上げ剤が取り付けられてもよい。
【０００６】
国際特許出願第２００９／００４４２１  Ａ２号は、喫煙物品用の類似のタイプのパッケージを開示し、これは、物品の群をアクセス開口部に面した中央位置に保つように伸縮式の側壁によって喫煙物品の群に弾性推力を行使することができる、内側補強材を含む。
【課題を解決するための手段】
【０００７】
本発明では、容器からの喫煙物品の取り出しを補助する、特に物品の束からの最初のまたは最後の喫煙物品の取り出しを補助する、喫煙物品用の改善された容器を提供しようとしている。
【０００８】
従って、本発明の一態様は、ボックスと、ボックスにヒンジで取り付けられたリッドとを備える外側ハウジングを備える喫煙物品用容器を提供し、ボックスは前部壁と、後方壁と、対向する側壁とを備え、内側ライナーはハウジングの中に配置され、内側ライナーは喫煙物品用の内部容積を画定し、内側ライナーは喫煙物品の周りで密封されており、かつ閉鎖フラップ付きのアクセス開口部を有し、内側補強材は内側ライナーの中の喫煙物品を少なくとも部分的に囲むために主パネルにヒンジで接続された側壁を少なくとも有し、主パネルは下部パネルにヒンジで接続され、下部パネルはアクセス開口部と一致して提供された喫煙物品の少なくとも一部を受けるために段付き領域を含む。
【０００９】
有利なことに、喫煙物品と内側ライナーの間に定置された、喫煙物品の少なくとも一部を受けるための段付き領域を有する下部パネルを補強材が有する修正された内側補強材を提供することによって、喫煙物品の少なくとも一つ以上が段付き領域の外側の他の物品に対して、部分的に開口部を通して持ち上げられてもよい。これは有利なことに、持ち上げられた喫煙物品の突出している端部を消費者が簡単につかめるようにする。本発明は、喫煙物品を製造中に、特に密封中に保護すること以外の第二の機能を有する内側補強材を提供するので、特に有利である。
【００１０】
ボックスは、ボックス前部壁、ボックス左側壁、ボックス右側壁、ボックス後部壁、およびボックス下部壁を含んでもよい。リッドは、リッド前部壁、リッド左側壁、リッド右側壁、リッド後部壁、およびリッド上部壁を含んでもよい。
【００１１】
内側ライナー、内側補強材、喫煙物品は内側束を形成する。容器はまた、内側束とハウジングのボックスとの間に配置された内側フレームも含んでもよい。最初に開封する前に、充填された容器は、外側ラッピングフィルムに包まれていてもよい。
【００１２】
下部パネルの段付き領域は、段付き領域の外側のその他の喫煙物品に対して、少なくとも一つの喫煙物品を部分的にアクセス開口部を通して持ち上げる。段付き領域は折り畳み式であってもよく、平坦な状態と立ち上がった状態との間で移動可能である。段付き領域の深さおよび幅は、開口部を通して持ち上げられる喫煙物品のサイズおよび数に依存して選択されてもよい。段付き領域の深さおよび幅は少なくとも一つの喫煙物品の少なくとも半径に対応することが好ましく、段付き領域の深さおよび幅は少なくとも一つの喫煙物品の直径の約５０パーセント〜約８０パーセントに対応することがより好ましい。パックの前方の列の喫煙物品のみを持ち上げるには、喫煙物品の第一の列と第二の列との間がぴったりと重なっているため、喫煙物品の直径より小さい段付き領域を有することが有利である。
【００１３】
一実施形態において、アクセス開口部は容器の前部壁の中へと部分的に延び、また主パネルは前部パネルであり、下部パネルの段付き領域は前部パネルと下部パネルの間のヒンジ線によって提供され、ヒンジ線は少なくとも部分的に内向きに段付きであり、段付き領域を形成するためにアクセス開口部と一致して棚を作り出す。別の方法として、または追加的に、アクセス開口部は容器の後方壁の中へと部分的に延びてもよく、また主パネルは後方パネルであり、下部パネルの段付き領域は後方パネルと下部パネルの間のヒンジ線によって提供され、ヒンジ線は少なくとも部分的に内向きに段付きであり、段付き領域を形成するためにアクセス開口部と一致して棚を作り出す。
【００１４】
段付き領域は、主パネルと下部パネルのヒンジ線を横切って延びる一対の実質的に平行な長軸方向の切断線を提供することによって、内側補強材内に形成されてもよく、この切断線の間には、折り曲げて段付き領域を形成するために三本の実質的に平行な横断方向の脆弱線が提供されている。切断線の長さは等しい。前部脆弱線は主パネルにおける切断線の端部の間に延び、下部脆弱線は下部パネルにおける切断線の端部の間に延び、また中間脆弱線は前部脆弱線と下部脆弱線の間に提供されていることが好ましい。好ましい実施形態において、中間脆弱線は前部脆弱線と下部脆弱線の間の実質的に中央に提供されているが、主パネルと下部パネルのヒンジ線に関しては、ずらされている。切断線は主パネルと下部パネルのヒンジ線を横切って中央に位置することが好ましいが、切断線の間の距離および切断線の長さは段付き領域の所望のサイズに依存することになる。脆弱線は、筋付け線、スコアライン、ミシン目、切除線、折り目、もしくは内側補強材材料の構造的な完全性を局所的に低減する任意の他の線、またはこれらの任意の組み合わせのいずれかであってもよい。
【００１５】
主パネルと下部パネルのヒンジ線に対する中間脆弱線のずれは、第一および中間の脆弱線と第二および中間の脆弱線との間の距離の最大２５パーセントであることが好ましい。
脆弱線は、互いに約０．３ｍｍ〜４ｍｍの間隔を持つことが好ましい。脆弱線の間隔は、内側補強材の厚さの関数であることが好ましい。脆弱線の間の間隔は、補強材の厚さより約２〜約２０倍大きいことが好ましい。
【００１６】
容器、内側フレーム、内側束、および外側ラッパーは、厚紙、板紙、プラスチック、金属、またはその組み合わせを含むがこれに限定されない、任意の適切な材料から形成されてもよい。好ましい実施形態において、内側ライナーは金属化紙または金属箔を含み、内側補強材は厚紙から成る。厚紙の重さは、約１００グラム／平方メートル〜約３５０グラム／平方メートルであってもよい。
【００１７】
本発明による容器は、長手方向の直角の縁および横断方向の直角の縁を有する直方体の形状であってもよい。別の方法として、容器は、一つ以上の長手方向の丸みのある縁、横断方向の丸みのある縁、長手方向の面取りされた縁、または横断方向の面取りされた縁、またはその組み合わせを含んでもよい。
【００１８】
本発明による容器は、細長い喫煙物品（例えば、紙巻たばこ、葉巻たばこ、またはシガリロなど）用のパックとしての特定の用途がある。当然のことながら、容器の寸法を適切に選択することによって、本発明による容器は、異なる数の従来サイズ、キングサイズ、スーパーキングサイズ、スリム、またはスーパースリムの紙巻たばこ用に設計されてもよい。
【００１９】
寸法の適切な選択によって、本発明による容器は、異なる合計数の喫煙物品、または異なる配置の喫煙物品を保持するように設計されてもよい。例えば、寸法の適切な選択によって、本発明による容器は、合計１０〜３０の喫煙物品を保持するように設計されてもよい。
【００２０】
ハウジングのリッドは、ボックスにヒンジで取り付けられており、かつ開位置と閉位置の間で操作されるように適合されている。開位置において、消費者は、内側束の開封に続いてハウジング内に配置された消費財にアクセスすることができる。リッドは、容器の後方壁を横切って延びるヒンジ線に沿って、ボックスにヒンジで取り付けられることができる。「ヒンジ線」という用語は、容器を開くためにリッドが枢動しうる線を意味する。ヒンジ線は、例えばハウジングの後部壁を形成するパネル内の折り目またはスコアラインであってもよい。
【００２１】
内側ライナーは内側補強材の周りを包むことが好ましく、これは喫煙物品の周りに定置され、その後ライナーはその重なっている縁部で密封される。内側ライナーは、前部壁、後方壁、対向する側壁、上部壁、および下部壁を有することが好ましく、一方または両方の側壁上に提供された重なっている領域で密封されていることが好ましい。内側ライナーはアクセスを有し、および閉鎖フラップは好ましくは再密封可能なフラップを備える。閉鎖フラップにはタブが提供されてもよい。一部の実施形態において、タブは容器のリッドの内側に取り付けられてもよく、その結果リッドを開けることによって自動的に、内側ライナーにおけるアクセス開口部からラベルを持ち上げるまたは剥がす。これらの実施形態の幾つかにおいて、パックが開封された時、リッドに取り付けられたラベルは、Ｓ字形曲線を形成することが好ましい。
【００２２】
アクセス開口部は、内側ライナーを最初に開封した際に取り外される内側ライナーの予め穿孔された部分によって形成されてもよく、その後閉鎖フラップによって閉じられる。一つ以上の実施形態において、アクセス開口部は内側束の前部壁上に位置するように配置することができる。一つ以上の実施形態において、アクセス開口部は内側束の上部壁上に位置するように配置することができる。一つ以上の実施形態において、アクセス開口部は内側束の前部壁の一部分と上部壁にわたって位置するように配置することができる。別の方法として、アクセス開口部はまた追加的に、束の上部壁および後部壁に位置してもよく、またはアクセス開口部は束の前部壁、上部壁、および後部壁にわたって延びてもよい。アクセス開口部は、任意の適切な形状または形状の組み合わせを取ることができる。
【００２３】
閉鎖フラップは閉位置にある時に内側ライナーに再び取り付けられるように適合されている。閉鎖フラップは、密封領域内でアクセス開口部に重なるように適合されることが好ましく、その結果閉鎖フラップは閉位置にある時に密封領域内で内側ライナーに取り付けられる。閉鎖フラップと密封領域の間に配置された接着剤は、閉鎖フラップが開位置にある時に内側束の中に配置された喫煙物品にアクセスすることができるように、また閉鎖フラップが閉位置にある時に物品が内側束の中に密閉されたままになるように、フラップを繰り返し開閉することを可能にする。閉鎖フラップと密封領域の間に配置された接着剤は、消費者が内側束を空になるまで開いたり再密封したりすることができるように、少なくとも内側束の中に喫煙物品がある限り何回でもフラップを再び取り付けるのに十分な付着性を提供することが好ましい。
【００２４】
本発明の別の態様において、喫煙物品の装填の周りの定置用の内側補強材の部材が提供されており、内側補強材は、喫煙物品の装填の側面および正面にそれぞれ隣接する定置のために主パネルにヒンジで接続された少なくとも側壁と、主パネルにヒンジで接続された下部パネルとを備え、一対の実質的に平行な長軸方向の切断線は主パネルと下部パネルのヒンジ線を横切って延び、切断線の間には、折り曲げて段付き領域を形成するために三本の実質的に平行な横断する脆弱線が提供されている。
【００２５】
好ましい実施形態において、前部脆弱線は主パネルにおける切断線の端部の間に延び、下部脆弱線は下部パネルにおける切断線の端部の間に延び、また中間脆弱線は第一の脆弱線と下部脆弱線の間に提供されている。切断線の長さは等しいことが好ましい。中間脆弱線は第一の脆弱線と下部脆弱線の間の実質的に中央に提供されているが、主パネルと下部パネルのヒンジ線に関しては、ずらされていることが好ましい。主パネルと下部パネルのヒンジ線に対する中間脆弱線のずれは、第一および中間の脆弱線と第二および中間の脆弱線との間の距離の最大２５パーセントであることが好ましい。
【００２６】
補強材の主パネルは、喫煙物品の束の前面もしくは後面のそれぞれまたは両方に隣接する定置のために内側補強材の前部パネルまたは後方パネルであってもよいことが理解されるべきである。
【００２７】
本発明の別の態様は、喫煙物品の装填の包装の方法を提供し、方法は、喫煙物品の装填を形成するために内側補強材の主パネルの上に所定の場所および角度方向で複数の喫煙物品を定置することであって、この内側補強材は少なくとも側壁と主パネルにヒンジで接続された下部パネルとを含み、この下部パネルは折り畳まれた段付き領域を含む、定置することと、喫煙物品の装填の側面に隣接して存在するように側壁を折り曲げることと、喫煙物品の装填の端部に隣接して存在するように下部パネルを折り曲げることと、他の喫煙物品に対して少なくとも一つの喫煙物品が不整合となるように喫煙物品に向かって段付き領域を内向きに延ばすことと、内側束を形成するために喫煙物品の内側補強材および装填の周りを内側ライナーで包み、それを密封することとを含む。
【００２８】
好ましい実施形態において、層状ブランクは内側束の周りで折り曲げられて、喫煙物品の束を収容する外側ハウジングを形成する。開封テープ付きの透明な外側ラッピングフィルムは、外側ハウジングの周りで密封されてもよい。
【００２９】
ここで本発明の一部の態様が図示されている図面を参照する。
【図面の簡単な説明】
【００３０】
【図１】図１は、開位置にある外側ハウジングおよび内側ライナーとともに示された、本発明の実施形態による容器の概略的な斜視前面図であり、また想像線を用いて内側補強材の位置を図示する。
【図２】図２は、喫煙物品の位置付けを図示する、閉じている内側の束の概略側面図である。
【図３】図３は、本発明による容器用の内側補強材の一実施形態の概略的な斜視図である。
【図４】図４は、図３に示される内側補強材の段付き領域の拡大図である。
【発明を実施するための形態】
【００３１】
図１を参照すると、喫煙物品用容器１０の別の実施形態の概略的な斜視図が描かれている。容器１０は、ボックス１２の形態を取る外側ハウジングと、ヒンジ線１８を介してボックスにヒンジで取り付けられたリッド１４とを含む。ヒンジ線１８は、容器１０のボックス１４の後部を横切って延び、リッド１４が閉位置（図示せず）から開位置（図示）へと動くことができるように作用する。内側ライナー２０は、ハウジングの中に配置されている。内側ライナー２０は、容器を最初に開封する前まで喫煙物品を実質的に密封封止するためにバリア材料（複数可）からできている。バリア材料は、金属箔またはプラスチックおよび金属の積層体であってもよい。
【００３２】
内側ライナー２０は材料シートでできており、ライナーが喫煙物品（例えば、紙巻たばこ３０）の束の周りを包んで、前部壁２０ａ、後部壁２０ｂ、対向する側壁２０ｃ、下部壁２０ｄ、および上部壁２０ｅを有する内側束を形成している。重なっていて折り曲げられたシート領域２２を密封するために永久接着剤が使用され、これによって束の中の品物を密封する。束の内容物にアクセスするための上部壁および前部壁にアクセス開口部２６が提供され、開口部は再密封可能なタブ２４を有する。
【００３３】
内側束はまた、内側ライナー２０の中に配置された内側補強材５０を含む。内側ライナーとボックスの間に内側フレーム（図示せず）も提供されてもよい。内側補強材は厚紙ブランクでできており（図３および図４を参照）、これは束の中の喫煙物品を少なくとも部分的に囲んで束に強度を付与し、また容器の内容物に、より簡単にアクセスすることを可能にするために束の中に収容された喫煙物品の一つ以上を他の物品に対して持ち上げる追加的な機能を提供する段付き領域を含む。
【００３４】
一実施形態において、内側補強材５０は、内側ライナー２０の中の喫煙物品３０を少なくとも部分的に囲むために、折り曲げ線５７によって前部パネル５２にヒンジで接続された対向する側壁５８を有する。前部パネル５２の上縁には陥凹部５６が提供されている。前部パネルはまた、アクセス開口部２６と一致して提供された喫煙物品の少なくとも一部を受けるための段付き領域６０を含む下部パネル５４に、折り曲げ線５５によってヒンジで接続されている。内側補強材ブランク５０の中の段付き領域６０は、図３で、および図４の拡大された図で示されるように、前部パネルおよび下部パネル内に提供された一連の平行な切り込みおよび折り曲げ線から形成されている。
【００３５】
実質的に等しい長さの二本の平行な長軸方向の切断線６１は、ヒンジ線５５の中央を横切って位置する。横断方向の折り曲げ線６２ａ、６２ｃは、切断線６１の対応する端部の間に提供され、また第三の横断方向の折り曲げ線６２ｂは切断線の間を折り曲げ線６２ａと６２ｃの間で中央に延び、長軸方向の切断線６１と折り曲げ線６２ａ、６２ｃとによって境界を与えられた領域を二つの等しい部品Ｄ１およびＤ２に分割する（図４を参照）。折り曲げ線６２ｂは、前部パネルと下部パネルの間のヒンジ線５５とは不整合である。このようにして、前部パネルおよび下部パネルが互いに対して実質的に垂直に折り曲げられて喫煙物品を囲む時、段付き領域６０がパネルの間に形成されて、補強材の段付き領域と接触する物品の一つ以上が持ち上げられる。
【００３６】
切断線６１の長軸方向の長さ、および切断線間の距離は、線から形成される段付き領域の上に受けられる喫煙物品の数に依存することが理解される。例えば、段付き領域の深さおよび幅は、単一の喫煙物品の少なくとも半径に対応してもよく、単一の喫煙物品の直径の少なくとも約７０パーセントに対応することがより好ましい。
【００３７】
段付き領域を補強材の下部パネル上の他の場所に提供することができる。例えば、ヒンジ線を横切って提供された段付き領域を有する下部パネルにヒンジで接続された後部パネルを提供してもよい。これは束の中の最後の喫煙物品を持ち上げる働きをし、束の中のこの物品へのより簡単なアクセスを提供するであろう。また、アクセス開口部の位置に依存して、内側補強材の側壁上の段の位置も可能になるであろう。
【００３８】
喫煙物品の包装は、喫煙物品の装填を形成するために、複数の喫煙物品３０を内側補強材５０の主パネル５２上に、所定の位置に所定の角度方向で定置することによって達成される。内側補強材の側壁５８は、喫煙物品の装填の側面に隣接して存在するように内向きに折り曲げられ、また補強材の下部パネル５４は、喫煙物品の装填の端部に隣接して存在するように折り曲げられる。下部パネル５４を主パネル５２向かって内向きに折り曲げると、切断線６１および折り曲げ線６２ａ、６２ｂ、６２ｃによって形成される段付き領域６０を生じ、これは段付き領域に接触する少なくとも一つの喫煙物品をその他の喫煙物品に対して持ち上げる。その後、内側補強材および喫煙物品の充填の周りを内側ライナー２０で包み、それを密封して、内側束を形成する。層状ブランクは内側束の周りで折り曲げられて、喫煙物品の束を収容する外側ハウジング１０を形成する。開封テープ付きの透明な外側ラッピングフィルム（図示せず）は、外側ハウジングの周りで密封されてもよい。
【図１】
2019514804.tif 000003
【図２】
2019514804.tif 000004
【図３】
2019514804.tif 000005
【図４】
2019514804.tif 000006
【国際調査報告】
2019514804.tif 000007
2019514804.tif 000008
2019514804.tif 000009